(57)【要約】【課題】現用系と予備系とを有する二重化系を有する送出システムにおいて、障害発生時に、現用系の再生映像の出力から予備系の再生映像の出力に、送出映像が切替わった場合に、再生ポイントがシームレスに繋がらない可能性がある。【解決手段】システムチェンジャに現有系と予備系の再生ポイントの比較機能を備え、予備系の再生ポイントが早い場合には、予備系のフレームシンクロナイザの出力を遅延させ、予備系の再生ポイントが遅い場合には、予備系映像再生機の再生をスキップさせる。【選択図】図３
2010212746.tif 000002
【特許請求の範囲】
【請求項１】
同一の映像ソースを再生し、映像データとして出力する現用系映像素材再生機及び予備系映像素材再生機と、前記現用系映像素材再生機及び前記予備系映像素材再生機からそれぞれ再生された前記映像データのいずれかを送出映像として出力するシステムチェンジャと、送出コントローラとを有する送出システムにおいて、
前記システムチェンジャは、前記送出コントローラからの制御に基づいて、入力される前記現用系映像素材再生機及び前記予備系映像素材再生機から再生された映像データを切替えて現用系再生映像と予備系再生映像として出力する現用／予備切替部と、前記現用／予備切替部から入力された現用系再生映像と予備系再生映像の再生ポイントを比較し、不一致の場合には不一致情報を出力する同期比較部と、前記同期比較部から入力された前記現用系再生映像を外部からの同期信号に位相を合わせて現用系映像として出力する現用系フレームシンクロナイザと、前記同期比較部から入力された前記予備再生映像を外部からの同期信号に位相を合わせて予備系映像として出力する予備系フレームシンクロナイザと、前記不一致情報を入力し前記送出コントローラに不一致情報を通知するアラーム通知部とを備え、
前記同期比較部は、予備系再生映像の再生ポイントが現用系再生映像の再生ポイントに比べて早い場合には、前記予備系フレームシンクロナイザに再生ポイントを遅らせるための同期制御信号を出力、前記予備系フレームシンクロナイザは、前記同期制御信号に基づいて、前記予備系再生映像の再生ポイントを遅延させ、現用系再生映像と予備系再生映像を同期させ、
前記送出コントローラは、予備系再生映像の再生ポイントが現用系再生映像の再生ポイントに比べて遅い場合には、前記不一致情報に基づいて、予備系映像再生機を制御して、同期調整することを特徴とする送出システム。
【発明の詳細な説明】
【技術分野】
【０００１】
本発明は送出システムに関わり、特に、送出再生機能に関する。
【背景技術】
【０００２】
テレビ放送局内の放送用システムは、主に営放システム、送出制御システム、及び送出システムで構成される。営放システムは、放送局の営業、編成、放送までを一貫して管理するコンピュータシステムであり、送出制御システムは、コンピュータによる自動放送システムである。また、送出システムは、映像再生機器を用いて、テレビ番組やＣＭ（広告）、提供などの放送用素材の管理及び送出再生を行う。
【０００３】
送出システムは、構成される機器のほとんどが二重化構成をとっており、視聴者に適正な映像を提供できなくなる、若しくは、無映像となるような映像障害時には現用系を予備系に切替えることで、放送の中断がないようにして、信頼性を確保している。
図１と図２によって、現用系と予備系の切替える従来の送出システムの構成を説明する。
【０００４】
図１は、従来の送出システムの一例の構成を示すブロック図である。１０１−１は現用系映像再生機、１０１−２は予備系映像再生機、１０２はシステムチェンジャ、１０３は送出コントローラである。
図１において、送出コントローラ１０３は、図示しない上位の制御機器からの制御を受けて、現用系映像再生機１０１−１及び予備系映像再生機１０１−２、並びに、システムチェンジャ１０２を制御する。
現用系映像再生機１０１−１と予備系映像再生機１０１−２には、同一の映像ソースから、同一の映像データが同時に入力する。
【０００５】
まず、現用系映像再生機１０１−１と予備系映像再生機１０１−２は、それぞれ、送出コントローラ１０３から入力される制御信号に応じて、入力された映像データを再生し、再生した映像データをシステムチェンジャ１０２に出力する。
システムチェンジャ１０２は、送出コントローラ１０３から入力される制御信号に応じて、現用系映像再生機１０１−１または予備系映像再生機１０１−２の再生映像のいずれかを、送出映像として外部に出力する。図１の例では、現用系映像再生機１０１−１が再生した映像データを、送出映像として出力している。この出力された送出映像が、最終的にオンエア（放送）される映像データである。
図１の送出システムは、現用系映像再生機１０１−１と予備系映像再生機器１０１−２が再生した映像データのどちらかを、送出映像としてシステムチェンジャ１０２で切替えて出力する構成となっており、現用系に障害が発生した場合は予備系に切替えるようになっている。
【０００６】
次に、システムチェンジャの内部処理動作を図２によって説明する。図２は、図１のシステムチェンジャ１０２の内部処理動作を説明するための図である。２０１は現用／予備切替部、２０２−１は現用系のフレームシンクロナイザ（ＦＳ）、２０２−２は予備系のフレームシンクロナイザ（ＦＳ）である。
図２において、システムチェンジャ１０２は、現用系映像と予備系映像の切替えを行って出力する機能と、外部からの同期信号に位相を合わせて映像を出力するためのフレームシンクロナイザ（現用系のＦＳ２０２−１及び予備系ＦＳ２０２−２）の機能とを備える。
このようなシステムチェンジャ１０２により、現用系の再生映像に何らかの障害が生じた場合は、外部からの切替信号により、予備系の再生映像を、現用系の送出映像として出力することが可能となる（特許文献１参照。）。そして、現用系と予備系の再生映像が切替えられて、予備系の再生映像が現用系の送出映像として出力された場合、予備系の送出映像として、映像が途切れている場合は別として、現用の再生映像が出力される。
なお、図２に示すように、現用系映像再生機１０１−１から入力された現用系の再生映像が、そのまま現用系の送出映像として出力される場合には、図２のように、予備系映像再生機１０１−２から入力された予備系の再生映像が、そのまま予備系の送出映像として出力されているが、図１では、省略している。
【０００７】
しかし、図１で説明したように、現用系の再生映像と予備系の再生映像とは、それぞれ、独立した映像再生機から出力されている。このため、現用系の再生映像が出力される場合と、予備系の再生映像が出力される場合とで、同時刻に、必ずしも同じポイントを再生しているとは限らない。従って、現用系の再生映像に障害が生じた場合、等、送出システムに障害が発生した時に、現用系の再生映像の出力から予備系の再生映像の出力に、送出映像が切替わった際に再生ポイントがシームレスに繋がらない可能性がある。
【先行技術文献】
【特許文献】
【０００８】
【特許文献１】特開２００７−２５１４５４号公報
【発明の概要】
【発明が解決しようとする課題】
【０００９】
特許文献１の記載のように、従来は、現用系の再生映像の出力から予備系の再生映像の出力に、送出映像が切替わった場合に、再生ポイントがシームレスに繋がらない可能性があるという問題があった。
【課題を解決するための手段】
【００１０】
上記の課題を解決するため、本発明は、現用系と予備系の二重化構成とした映像再生機が再生する現用系の映像データと予備系の映像データとを同期処理するようにしたものである。
【００１１】
即ち、本発明の送出システムは、同一の映像ソースを再生し、映像データとして出力する現用系映像素材再生機及び予備系映像素材再生機と、前記現用系映像素材再生機及び前記予備系映像素材再生機からそれぞれ再生された前記映像データのいずれかを送出映像として出力するシステムチェンジャと、送出コントローラとを有する送出システムにおいて、前記システムチェンジャは、前記送出コントローラからの制御に基づいて、入力される前記現用系映像素材再生機及び前記予備系映像素材再生機から再生された映像データを切替えて現用系再生映像と予備系再生映像として出力する現用／予備切替部と、前記現用／予備切替部から入力された現用系再生映像と予備系再生映像の再生ポイントを比較し、不一致の場合には不一致情報を出力する同期比較部と、前記同期比較部から入力された前記現用系再生映像を外部からの同期信号に位相を合わせて現用系映像として出力する現用系フレームシンクロナイザと、前記同期比較部から入力された前記予備再生映像を外部からの同期信号に位相を合わせて予備系映像として出力する予備系フレームシンクロナイザと、前記不一致情報を入力し前記送出コントローラに不一致情報を通知するアラーム通知部とを備え、前記同期比較部は、予備系再生映像の再生ポイントが現用系再生映像の再生ポイントに比べて早い場合には、前記予備系フレームシンクロナイザに再生ポイントを遅らせるための同期制御信号を出力、前記予備系フレームシンクロナイザは、前記同期制御信号に基づいて、前記予備系再生映像の再生ポイントを遅延させ、現用系再生映像と予備系再生映像を同期させ、前記送出コントローラは、予備系再生映像の再生ポイントが現用系再生映像の再生ポイントに比べて遅い場合には、前記不一致情報に基づいて、予備系映像再生機を制御して、同期調整するものである。
【００１２】
好ましくは、本発明の送出システムは、さらに、アラーム端末を有し、前記送出コントローラは、前記不一致情報に基づいて、前記アラーム端末を制御してアラーム通知を出力するものである。
また好ましくは、本発明の送出システムにおいて、前記送出コントローラは、予備系再生映像の再生ポイントが、現用系再生映像の再生ポイントに比べて遅い場合には、前記予備系映像再生機を制御してスタンバイポイントを指示し、前記付随情報に基づいて、タイミングを合わせて、前記スタンバイポイントから、映像再生スタートするものである。
【発明の効果】
【００１３】
本発明は、障害発生時に、送出する映像データを現用系の再生映像から予備系の再生映像に切替える際に、現用系の映像データと予備系の映像データとを同期処理して切替え前後の再生ポイントを一致させる。これによって、送出映像出力の切替え前の送出映像と切替え後の送出映像とがシームレスに繋がるようにすることでき、送出システムの機能向上を目的とする。
【図面の簡単な説明】
【００１４】
【図１】従来の送出システムの一例の構成を示すブロック図。
【図２】従来のシステムチェンジャの内部処理動作を説明するための図。
【図３】本発明の送出システムの一実施例の構成を示すブロック図。
【図４】本発明のシステムチェンジャの一実施例の内部処理動作を説明するための図。
【図５】本発明の同期処理動作の一実施例を説明するためのフローチャート。
【図６】本発明の一実施例による、予備系の再生映像の再生ポイントが、現用系の再生映像の再生ポイントより遅いと判定された場合の、同期調整の詳細を説明する図。
【発明を実施するための形態】
【００１５】
本発明の送出システムは、システムチェンジャに現有系と予備系の再生ポイントの比較機能を備え、予備系の再生ポイントが早い場合には、予備系のフレームシンクロナイザの出力を遅延させ、予備系の再生ポイントが遅い場合には、予備系映像再生機の再生をスキップさせるものである。
以下、添付図面を参照しながら本発明の実施形態を詳細に説明する。なお、各図の説明において、従来の技術を説明した図１と図２を含め、同一の機能を有する構成要素には同一の参照番号を付し、重複を避けるため、できるだけ説明を省略する。図３〜図６によって、現用系と予備系を切替える本発明の送出システムの構成を説明する。
【００１６】
図３は、本発明の送出システムの一実施例の構成を示すブロック図である。図３は、図１の構成に対して、システムチェンジャ１０２を機能の異なるシステムチェンジャ３０２に替え、送出コントローラ１０３を機能の異なる送出コントローラ３０３に替え、さらにアラーム端末３０４を追加したものである。
図４は、図２のシステムチェンジャ３０２の内部処理動作を説明するための図である。４０５は同期比較部、４０３はアラーム通知部である。図４の実施例では、現用／予備切替部２０１と、現用系のＦＳ２０２−１及び予備系のＦＳ２０２−１は、従来と同一の機能を備える。また、図４は、図２の従来の構成に対して、現用／予備切替部２０１の後段に、現用系の映像の再生ポイントと予備系の映像の再生ポイントとを比較するための同期比較部と、両者の再生ポイントが不一致の場合に不一致情報を通知（出力）するためのアラーム通知部４０３を備えたものである。
図３と図４は、図１と図２と同様に、現用系映像再生機１０１−１と予備系映像再生機器１０１−２が再生した映像データのどちらかを、送出映像としてシステムチェンジャ１０２で切替えて出力する構成となっており、現用系に障害が発生した場合は予備系に切替えるようになっている。
【００１７】
図３と図４において、送出コントローラ３０３は、図示しない上位の制御機器からの制御を受けて、現用系映像再生機１０１−１及び予備系映像再生機１０１−２、並びに、システムチェンジャ３０２を制御する。
予備系映像再生機１０１−２には、同一の映像ソースから、同一の映像データが同時に入力する。
そして、現用系映像再生機１０１−１と予備系映像再生機１０１−２は、それぞれ、送出コントローラ３０３から入力される制御信号に応じて、入力された映像データを再生し、再生した映像データをシステムチェンジャ３０２の現用／予備機切替部２０１にそれぞれ出力する。
システムチェンジャ３０２は、送出コントローラ３０３から入力される制御信号に応じて、現用系映像再生機１０１−１または予備系映像再生機１０１−２の再生映像のいずれかを、送出映像として外部に出力する。この出力された送出映像が、最終的にオンエア（放送）される映像データである。
【００１８】
システムチェンジャ３０２では、現用／予備機切替部２０１は、入力された現用系／予備系それぞれの再生映像を送出コントローラ３０３の制御に応じて、同期比較部４０５に出力する。例えば、送出コントローラ３０３から現用系の再生映像を予備系の再生映像に切替える指示が無い場合には、現用映像再生機１０１−１から入力された現用系の再生映像を、そのまま現用系の再生映像として同期比較部４０５に出力し、予備映像再生機１０１−２から入力された予備系の再生映像を、そのまま予備系の再生映像として同期比較部４０５に出力する。
しかし、送出コントローラ３０３から現用系の再生映像を予備系の再生映像に切替える指示があった場合には、現用映像再生機１０１−１から入力された現用系の再生映像を、予備系の再生映像として同期比較部４０５に出力し、予備映像再生機１０１−２から入力された予備系の再生映像を、現用系の再生映像として同期比較部４０５に出力する。
【００１９】
また、映像の出力と同時に、同期比較部４０５は、入力された現用系の再生映像に重畳されているタイムコード（ＴＣ）と予備系の再生映像に重畳されているタイムコード（ＴＣ）のデータを読み取って、タイムコードの比較を行う。タイムコードがずれていれば、再生ポイントがずれていることが分かる。また、ずれ量から、どのくらい時間がずれているかも判明する。
同期比較部４０５は、予備系の再生映像の再生ポイントが現用系の再生映像の再生ポイントに比べて早い（ＴＣデータの時刻が早い）場合には、後段のＦＳ４０２−２に再生ポイントを遅延させるための同期制御信号を出力する。この動作によって、現用系の送出映像と予備系の送出映像の再生ポイントの同期ができる。また、同時に、同期比較部４０５は、アラーム通知部４０３にアラーム通知のための不一致情報を出力する。アラーム通知部４０３は、入力された不一致情報に応答して、送出コントローラ３０３に再生ポイントがずれている旨の警告情報（アラーム通知）を出力する。送出コントローラ３０３は、警告情報に基づいて、アラーム端末３０４にアラーム通知を出力させる。アラーム端末３０４から出力される警告は、他の接続機器に信号伝送しても良いし、付属機器を制御して、警告音の出力、警告灯の表示や点滅、等その他の手段で良く、それらの組合せでも良い。
また同期比較部４０５の不一致情報によって、予備系の再生ポイントが現用系の再生ポイントに比べて遅い（ＴＣデータの時刻が遅い）場合には、送出コントローラ経由で、映像再生機の再生ポイントを早くするよう処理を行う。即ち、送出コントローラ３０３は、入力された不一致情報に基づいて、予備系の再生ポイントが現用系の再生ポイントに比べて遅いこと、及び、その再生ポイントのずれ量に基づいて、予備系映像再生機１０１−２に制御信号を出力して、同期調整する（調整の詳細については、後述する）。
【００２０】
図５は、本発明のシステムチェンジャ（例えば、図３、図４のシステムチェンジャ３０２参照）と送出コントローラ（例えば、図３の送出コントローラ３０３参照）の同期処理動作の一実施例を説明するためのフローチャートである。この処理動作は、特に断らない限り、システムチェンジャの同期比較部が処理を行う。
同期比較ステップＳ５０１では、入力された現用系の再生映像のＴＣと予備系の再生映像のＴＣについて、同期比較を行い、ステップＳ５０２に処理を移行する。
再生ポイント不一致判定ステップＳ５０２では、２つのＴＣが一致しているか不一致かを判定し、一致していれば、同期比較ステップＳ５０１に戻り、不一致であれば不一致情報通知ステップＳ５０３にに処理を移行する。
不一致情報通知ステップＳ５０３では、送出コントローラに不一致情報通知を出力し、アラーム通知ステップＳ５０４に処理を移行する。
アラーム通知ステップＳ５０４では、送出コントローラからアラーム端末にアラーム通知信号を出力し、アラーム端末に警告を出力させ、再生ポイント判定ステップＳ５０５に処理を移行する。
再生ポイント判定ステップＳ５０５では、予備系の再生映像のＴＣが現用系の再生映像のＴＣより早いか遅いかを判定し、早い場合には、予備系ＦＳ遅延ステップＳ５０６に処理を移行し、遅い場合には、予備系映像再生遅延ステップＳ５０７に処理を移行する。
予備系ＦＳ遅延ステップＳ５０６では、同期比較部が予備系のＦＳを制御して、予備系の再生映像の出力をそのずれ量分遅延させて出力させ、処理を同期比較ステップＳ５０１に戻す。
予備系映像再生遅延ステップＳ５０７では、送出コントローラが、予備系の再生映像装置を制御して、予備系映像再生機１０１−２に制御信号を出力して、同期調整し（調整の詳細については、後述する）、処理を同期比較ステップＳ５０１に戻す。
【００２１】
図６は、本発明の一実施例であって、システムチェンジャ３０２において、予備系の再生映像の再生ポイントが、現用系の再生映像の再生ポイントより遅いと判定された場合の、同期調整の詳細を説明する図である。横軸は経過時間、縦に並べて、現用系映像再生機１０１−１、予備系映像再生機１０１−２、システムチェンジャ３０２、及び送出コントローラ３０３の動作状態を示す。
図６において、システムチェンジャ３０２の同期比較部４０５は、現用映像と予備映像の映像信号に重畳されたタイムコードデータを読み取って比較を行うことで、再生ポイントのずれを検知し、時刻ｔ１において、システムチェンジャから送出コントローラへアラーム出力を行うとともに現用系映像の現在の再生位置とのずれ量を通知し、同期処理を開始する。
次に、時刻ｔ２において、予備系の再生ポイントが現用系の再生ポイントに比べて遅い場合には、送出コントローラ３０３が予備系の映像再生機１０１−２に対してスタンバイポイントを指示してスタンバイ処理を行う。その後、タイミングを合わせて、時刻ｔ３にて、スタートさせることで再生映像の同期処理を行う。
この際のスタンバイ位置は、映像再生機が現在の再生位置とスタンバイに要する時間から計算する必要がある。その後、スタンバイ位置を再生すべきタイミングで自動的にスタート制御を行うことで、正しいポイントを再生する。
【００２２】
上述のように、送出システムにおいて、再生タイミングの同期処理を行うことで、障害時に、送出映像を現用系再生映像から予備系再生映像に切替える際にも再生ポイントがシームレスに繋がる。
【符号の説明】
【００２３】
１０１−１：現用系映像再生機、  １０１−２：予備系映像再生機、  １０２：システムチェンジャ、  １０３：送出コントローラ、  ２０１：現用／予備切替部、  ２０２−１：現用系のＦＳ、  ２０２−２：予備系のＦＳ、  ３０２：システムチェンジャ、  ３０３：送出コントローラ、  ３０４：アラーム端末、  ４０３：アラーム通知部、  ４０５：同期比較部。
【図１】
2010212746.tif 000003
【図２】
2010212746.tif 000004
【図３】
2010212746.tif 000005
【図４】
2010212746.tif 000006
【図５】
2010212746.tif 000007
【図６】
2010212746.tif 000008